【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
磁場を加えられた際に加熱される構成部品と、加熱対象物に動作可能に接続されるＲＦＩＤタグとを含み、
前記タグは、電子メモリを有し、
前記メモリに記憶されたデジタル電子情報は、前記対象物が過去に経験した誘導加熱履歴に関連しており、
前記タグは、ＲＦＩＤタグリーダから応答信号を送信された際に、前記情報を送信するよう動作可能であり、
前記タグは、またタグライタから受けとった更新された情報を記憶するように動作可能である、誘導加熱可能な対象物。
【請求項２】
前記対象物は、食器である請求項１に記載の対象物。
【請求項３】
前記ＲＦＩＤタグは、前記対象物の加熱特性に関する情報を保持している請求項１に記載の対象物。
【請求項４】
前記加熱特性に関する情報は、前記対象物が属する対象物の種類に関する情報を含む請求項３に記載の対象物。
【請求項５】
前記ＲＦＩＤタグに動作可能に接続された少なくとも１つのスイッチを含み、前記スイッチは、経験した外的条件に対応して回路形成および回路切断配置間での切り替えが可能であり、それにより前記ＲＦＩＤタグの動作を変更する請求項１に記載の対象物。
【請求項６】
前記スイッチは、前記対象物の温度に応じて、前記配置間を切り替え可能なサーマルスイッチである請求項５に記載の対象物。
【請求項７】
前記スイッチは、前記ＲＦＩＤタグのアンテナに接続されており、前記スイッチ配置の１つにおいて、前記アンテナを短絡させるように動作可能である請求項５に記載の対象物。
【請求項８】
ＲＦＩＤタグに直列接続され、独立して動作可能な１組のスイッチを含む請求項５に記載の対象物。
【請求項９】
前記スイッチの少なくとも１つは、前記スイッチ配置の１つにおいて、ＲＦＩＤタグによる情報の送信を阻害するように動作可能である請求項５に記載の対象物。
【請求項１０】
前記タグは、前記メモリ内のデジタル情報を受け取り、記憶するよう動作可能である請求項１に記載の対象物。
【請求項１１】
磁場を発生して対象物を誘導加熱する構成部品と、前記磁場を発生する構成部品に動作可能に接続され、発生する磁場の強度を変更するように選択的に動作する調節回路を含む誘導加熱デバイスであって、
前記回路に接続され、前記対象物に関連するＲＦＩＤタグに情報を送信し、かつ前記ＲＦＩＤタグからのデジタル情報を受け取る装置を含み、前記調節回路は、前記装置が前記デジタル情報を送信する際、または受け取る際に、前記磁場の強度を減少するよう動作可能であることを特徴とする誘導加熱デバイス。
【請求項１２】
前記調節回路は、マイクロプロセッサを含み、前記装置は、ＲＦＩＤリーダ／ライタおよびＲＦＩＤアンテナを含む請求項１１に記載のデバイス。
【請求項１３】
前記調節回路は、前記デバイスが経験した負荷のインピーダンスに関連する回路パラメータを測定するように動作可能なセンサを含む請求項１１に記載のデバイス。
【請求項１４】
前記センサは、電流センサを含む請求項１３に記載のデバイス。
【請求項１５】
前記調節回路に動作可能に接続され、前記ＲＦＩＤタグから受け取ったデジタル情報を記憶する電子メモリを含む請求項１１に記載のデバイス。
【請求項１６】
前記構成部品は、インバータを含む請求項１１に記載のデバイス。
【請求項１７】
前記調節回路は、前記期間中、前記構成部品の動作を停止するように動作可能である請求項１１に記載のデバイス。
【請求項１８】
磁場を発生して対象物を誘導加熱する構成部品と、前記磁場を発生する構成部品に動作可能に接続され、発生する磁場の強度を変更するように選択的に動作する調節回路を含む誘導加熱デバイスであって、
前記回路に接続され、前記対象物に関連するＲＦＩＤタグに情報を送信し、かつ前記ＲＦＩＤタグからのデジタル情報を受け取る装置を含み、前記装置は、送信用のアンテナを含み、前記送信用のアンテナは、それに関する設置面を有しないことを特徴とする誘導加熱デバイス。
【請求項１９】
磁場を発生し、対象物を誘導加熱する構成部品と、前記磁場を発生する構成部品と動作可能に接続され、発生した磁場の強度を選択的に変更する調節回路と、前記回路に接続され、前記対象物に関連するＲＦＩＤタグからの情報を受け取る装置と、を含んだ誘導加熱デバイスと、
磁場をかけられた際に加熱される構成部品と、加熱対象物に動作可能に接続されるＲＦＩＤタグと、を含んだ誘導加熱可能な対象物と、を含み、
前記ＲＦＩＤタグは、情報を送信するように動作可能であり、
前記装置は、前記情報を受け取るように動作可能であり、
前記対象物の誘導加熱時における前記デバイスの動作は、前記ＲＦＩＤタグから受けた前記情報に少なくとも部分的に応答している、コンビネーション。
【請求項２０】
前記ＲＦＩＤタグは、前記対象物の加熱特性を保持している請求項１９に記載のコンビネーション。
【請求項２１】
前記加熱特性は、前記対象物が属する対象物の種類を含む請求項２０に記載のコンビネーション。
【請求項２２】
前記ＲＦＩＤタグは、情報の送信および受信のいずれにも動作可能であり、前記装置は、前記ＲＦＩＤタグからの情報を送信し、かつ他の情報を前記ＲＦＩＤタグに送信するように動作可能である請求項１９に記載のコンビネーション。
【請求項２３】
前記ＲＦＩＤタグは、受け取った情報を記憶するメモリを有する請求項２２に記載のコンビネーション。
【請求項２４】
磁場を発生し、対象物を誘導加熱する構成部品と、前記磁場を発生する構成部品と動作可能に接続され、発生した磁場の強度を変更するように選択的に動作する調節回路と、前記回路に接続されたＲＦＩＤタグリーダと、を含んだ誘導加熱デバイスと、
磁場をかけられた際に加熱される構成部品と、加熱対象物に動作可能に接続されるＲＦＩＤタグと、を含んだ誘導加熱可能な対象物よりなり、
前記タグは、電子メモリを有し、
前記メモリに記憶されるデジタル電子情報は、前記対象物が過去に経験した誘導加熱履歴情報を関連しており、
前記タグは、前記ＲＦＩＤタグリーダにより応答信号を送信された際に、前記情報を送信するように動作可能であるコンビネーション。
【請求項２５】
前記対象物は、食器である請求項２４に記載のコンビネーション。
【請求項２６】
前記ＲＦＩＤに動作可能に接続された少なくとも１つのスイッチを含み、前記スイッチは、経験した外的条件に応じて回路形成および回路遮断配置間で切り替え可能であって、それにより前記ＲＦＩＤタグの動作を変更する請求項２５に記載のコンビネーション。
【請求項２７】
前記スイッチは、前記対象物の熱に応じて前記配置間で切り替え可能なサーマルスイッチである請求項２６に記載のコンビネーション。
【請求項２８】
前記スイッチは、前記ＲＦＩＤタグのアンテナに接続され、前記スイッチ配置の１つにおいて、前記アンテナを短絡させるように動作可能である請求項２６に記載のコンビネーション。
【請求項２９】
前記ＲＦＩＤタグに直列接続された、独立して動作可能な１組のスイッチを含む請求項２６に記載のコンビネーション。
【請求項３０】
前記スイッチの少なくとも１つは、前記スイッチ配置の１つにおいて、前記ＲＦＩＤタグによる情報の送信を阻害するように動作可能である請求項２６に記載のコンビネーション。
【請求項３１】
前記調節回路は、前記デバイスが経験した負荷のインピーダンスに関連する回路パラメータを測定するように動作可能なセンサを含む請求項２５に記載のコンビネーション。
【請求項３２】
前記センサは、電流センサを含む請求項３１に記載のコンビネーション。
【請求項３３】
前記構成部品は、インバータを含む請求項２５に記載のコンビネーション。
【請求項３４】
前記ＲＦＩＤタグメモリは、前記対象物の加熱特性に関するデジタル情報を保持する請求項２４に記載のコンビネーション。
【請求項３５】
前記加熱特性は、前記対象物が属する対象物の種類に関する情報を含む請求項３４に記載のコンビネーション。
【請求項３６】
前記ＲＦＩＤタグに動作可能に接続された少なくとも１つのスイッチを含み、前記スイッチは、経験した外的条件に対応して回路形成および回路切断配置間での切り替えが可能であり、それにより前記ＲＦＩＤタグの動作を変更する請求項２４に記載のコンビネーション。
【請求項３７】
前記スイッチは、前記対象物の温度に応じて、前記配置間を切り替え可能なサーマルスイッチである請求項３６に記載のコンビネーション。
【請求項３８】
前記スイッチは、前記ＲＦＩＤタグのアンテナに接続されており、前記スイッチ配置の１つにおいて、前記アンテナを短絡させるように動作可能である請求項３６に記載のコンビネーション。
【請求項３９】
前記ＲＦＩＤタグに直列接続され、独立して動作可能な１組のスイッチを含む請求項３６に記載のコンビネーション。
【請求項４０】
前記スイッチの少なくとも１つは、前記スイッチ配置の１つにおいて、ＲＦＩＤタグによる情報の送信を阻害するように動作可能である請求項３６に記載のコンビネーション。
【請求項４１】
前記調節回路は、前記装置が前記リーダに前記情報を送信する際、前記磁場の強度を減少するよう動作可能である請求項２４に記載のコンビネーション。
【請求項４２】
前記調節回路は、前記構成部品の動作を断続的に停止し、前記装置に前記ＲＦＩＤタグからの情報を受け取らせるように動作可能である請求項４１に記載のコンビネーション。
【請求項４３】
磁場を発生し、対象物を誘導加熱する構成部品と、前記磁場を発生する構成部品と動作可能に接続され、発生した磁場の強度を変更するように選択的に動作する調節回路と、前記回路に接続されたＲＦＩＤタグリーダと、を含んだ誘導加熱デバイスと、
磁場をかけられた際に加熱される構成部品と、加熱対象物に動作可能に接続されるＲＦＩＤタグと、を含んだ誘導加熱可能な対象物よりなり、
前記調節回路は、前記タグが前記情報を前記リーダに送信する際、前記磁場の強度を減少するよう動作可能であるコンビネーション。
【請求項４４】
磁場を発生し、対象物を誘導加熱する構成部品と、前記磁場を発生する構成部品と動作可能に接続され、発生した磁場の強度を変更するように選択的に動作する調節回路と、前記回路に接続されたＲＦＩＤタグリーダと、を含み、前記タグリーダは、送信用のアンテナを含み、前記送信用のアンテナは、それに関する設置面を有しない誘導加熱デバイスと、
磁場をかけられた際に加熱される構成部品と、加熱対象物に動作可能に接続されるＲＦＩＤタグと、を含んだ誘導加熱可能な対象物よりなるコンビネーション。
【請求項４５】
対象物に動作可能に接続可能なＲＦＩＤタグを有する誘導加熱可能な対象物を与えるステップと、
前記対象物を、磁場誘導加熱器の近くに配置するステップであって、前記加熱器は、磁場を発生し、前記対象物を誘導加熱する構成部品と、前記磁場を発生する構成部品に動作可能に接続され、発生する磁場の強度を選択的に変更する調節回路と、前記回路に接続され、前記対象物に関連するＲＦＩＤタグからの情報を受け取る装置であるステップと、
前記ＲＦＩＤタグに対して、前記装置へと情報を送信させて、前記装置に前記情報を受け取らせて、前記装置および前記調節回路に対して、前記ＲＦＩＤタグにより送信され、前記装置により受け取られた情報に少なくとも部分的に対応して、前記構成部品の動作を調節させるステップと、を含む誘導加熱可能な対象物を加熱する方法。
【請求項４６】
前記送信された情報は、前記対象物の加熱特性に関する情報を含む請求項４５に記載の方法。
【請求項４７】
前記加熱特性は、前記対象物が属する対象物の種類に関する情報を含む請求項４６に記載の方法。
【請求項４８】
前記加熱特性は、前記対象物が過去に経験した誘導加熱履歴に関する情報を含む請求項４７に記載の方法。
【請求項４９】
前記装置に、さらなる情報を前記ＲＦＩＤタグへの送信させるステップを含む請求項４５に記載の方法。
【請求項５０】
前記ＲＦＩＤタグは、前記ＲＦＩＤタグメモリ内に前記さらなる情報を記憶する請求項４９に記載の方法。
【請求項５１】
前記構成部品の動作を断続的に停止させて、前記磁場の発生を停止し、前記磁場の発生の断続的な停止のうちの少なくともいくつかの際に、前記ＲＦＩＤタグに対して、前記情報を送信させるステップを含む請求項４５に記載の方法。
【請求項５２】
前記デバイスが経験した負荷に関連する前記調節回路のパラメータを定期的に測定するステップを含む請求項４５に記載の方法。
【請求項５３】
前記パラメータは、前記調節回路の少なくとも一部が経験した電流を含む請求項５２に記載の方法。
【請求項５４】
前記さらなる情報は、前記対象物に以前に起こった最新の誘導加熱時間を含む請求項４５に記載の方法。
【請求項５５】
前記ＲＦＩＤタグに対して、前記さらなる情報を前記ＲＦＩＤリーダへ戻し送信させるステップを含む請求項５４に記載の方法。
【請求項５６】
磁場を加えられた際に加熱される対象物であって、
前記対象物には、ＲＦＩＤタグが動作可能に接続されており、
前記タグは、電子メモリを有し、
前記メモリには、前記対象物の所望の加熱手順に関連する情報が記憶されており、
前記タグは、ＲＦＩＤタグリーダから応答信号を送信された際に、前記情報を送信するよう動作可能である、誘導加熱デバイスで使用される対象物。
【請求項５７】
前記タグは、前記タグリーダから受けとった更新された情報を記憶するように動作可能である、請求項５６に記載の対象物。
【請求項５８】
前記対象物は、食器である請求項５６に記載の対象物。
【請求項５９】
前記ＲＦＩＤタグは、前記対象物の加熱特性に関する情報を保持している請求項５６に記載の対象物。
【請求項６０】
前記加熱特性に関する情報は、前記対象物が属する対象物の種類に関する情報を含む請求項５８に記載の対象物。
【請求項６１】
前記ＲＦＩＤタグは、情報を受信し、前記電子メモリ内の情報を受信し、かつ前記電子メモリ内に情報を記憶するように動作可能である請求項５６に記載の対象物。
【請求項６２】
前記ＲＦＩＤタグに動作可能に接続された少なくとも１つのスイッチを含み、前記スイッチは、経験した外的条件に対応して回路形成および回路切断配置間での切り替えが可能であり、それにより前記ＲＦＩＤタグの動作を変更する請求項５６に記載の対象物。
【請求項６３】
前記スイッチは、前記対象物の温度に応じて、前記配置間を切り替え可能なサーマルスイッチである請求項６２に記載の対象物。
【請求項６４】
前記スイッチは、前記ＲＦＩＤタグのアンテナに接続されており、前記スイッチ配置の１つにおいて、前記アンテナを短絡させるように動作可能である請求項６２に記載の対象物。
【請求項６５】
前記スイッチの少なくとも１つは、前記スイッチ配置の１つにおいて、ＲＦＩＤタグによる情報の送信を阻害するように動作可能である請求項６２に記載の対象物。
【請求項６６】
対象物を加熱するために磁場を発生する構成部品を含む誘導加熱デバイスであって、前記誘導加熱デバイスと動作可能に接続されており、
前記対象物に関連するＲＦＩＤタグからの情報を受け取る装置を含み、
前記デバイスの動作は、前記タグから受け取った情報に少なくとも一部対応することを特徴とする誘導加熱デバイス。